(57)【要約】【課題】  ２以上の辺に配置されたランプの点灯によるノイズを抑えるために、金属ケースに簡単に確実に接地できるランプリフレクタを提供する。【解決手段】  ２以上の辺にランプリフレクタが配置された液晶表示装置のランプリフレクタ端部同士が同一平面上で対向するように隣接するコーナー部において、前記ランプリフレクタ端部がおのおの対向するように凹部を有することにより、２個のランプリフレクタを同時に１本のネジで金属ケースに固定する。【選択図】          図１
2005243485.tif 000002
【特許請求の範囲】
【請求項１】
金属製ケースと、光源からの光を導く導光手段と、前記導光手段の隣接する２辺の側面に配置され、前記光源を抱持している金属製ランプリフレクタと、前記金属製ケースと前記金属製ランプリフレクタとを接続する固定手段と、を備えたバックライトユニットであって、前記導光手段の隣接する２辺に挟まれたコーナー部において、前記金属製ランプリフレクタの各端部は、同一平面上で対向するように隣接して配置されており、かつ前記対向する各端部には凹部が形成され、前記金属製ランプリフレクタの対向する各端部に形成された凹部に前記固定手段を嵌合したことを特徴とするバックライトユニット。
【請求項２】
前記ランプリフレクタは前記導光手段の３辺または４辺に配置され、前記金属製ランプリフレクタの各端部は、前記導光手段の３辺により挟まれた２つのコーナー部または前記導光手段の４つのコーナー部において、同一平面状で対向するように隣接して配置されており、かつ前記対向する各端部には凹部が形成され、前記金属製ランプリフレクタの対向する各端部に形成された凹部に前記固定手段を嵌合したことを特徴とする請求項１に記載のバックライトユニット。
【請求項３】
前記凹部は略半円形状であることを特徴とする請求項１または２に記載のバックライトユニット。
【請求項４】
前記固定手段は、１つのコーナー部あたり１個のネジからなることを特徴とする請求項１ないし３のいずれかに記載のバックライトユニット。
【請求項５】
前記ランプが冷陰極管であることを特徴とする請求項１ないし４のいずれかに記載のバックライトユニット。
【請求項６】
前記ランプが発光ダイオードであることを特徴とする請求項１ないし４のいずれかに記載のバックライトユニット。
【請求項７】
請求項１ないし６のいずれかに記載の前記バックライトユニットを用いたことを特徴とする液晶表示装置。
【発明の詳細な説明】
【技術分野】
【０００１】
本発明は、液晶表示パネルを照射するためのバックライトユニットと、それを用いた液晶表示装置の構造に関するものである。
【背景技術】
【０００２】
液晶表示装置は、液晶パネルの下部に照明手段として、光学シート、導光板などの導光手段、反射板、ランプ、ランプリフレクタ、樹脂ケース、金属製リアケースで構成されているバックライトユニットを有している。ランプには通常冷陰極管や発光ダイオードが用いられるが、その場合ランプから発生する点灯電圧起因のノイズによる画面ちらつきが問題となるため、従来からその防止のために、ランプを抱持しているランプリフレクタの材質を金属とし、金属製ケースに接地させることによりランプに起因するノイズを抑制することができるようになっていた。例えば、ランプを抱持した金属製ランプリフレクタと金属製ケースからなるバックライトユニットにおいて、ランプリフレクタの金属表面と金属製ケースとを接続させることにより接地をとっている（たとえば、特許文献１参照）。
【特許文献１】特開２００１−１２６５２２号公報（第３−４頁、第２図）
【発明の開示】
【発明が解決しようとする課題】
【０００３】
最近、液晶表示装置の高輝度化という要請から、ランプの配置を１辺に限定することなく２辺以上に配置する必要が生じている。具体的には、直管の冷陰極管を複数の辺に配置させたり、Ｌ字型の冷陰極管を２辺に当接させたり、Ｕ字型の冷陰極管を３辺に当接させたりする手法が用いられることが多い。
【０００４】
この場合、液晶表示装置の少なくとも１つのコーナー部において、２個のランプリフレクタの端部同士が隣接する配置となるが、ランプリフレクタをそのまま２辺に配置した場合、以下のような問題が生じる。すなわち、各辺おのおののランプリフレクタをネジで固定することになるため、１辺配置の時に比べてネジの本数が２倍となり、取り付ける手間やコストも増大してしまう。このような不具合を回避するために、例えば図６（ａ）に示すように、両方のランプリフレクタのネジ穴を重ねて１本のネジで固定する方法が考えられる。
【０００５】
しかし、この場合、図６（ｂ）に示すように、一方の金属製ランプリフレクタ４と金属ケース８との間に、他方の金属製ランプリフレクタ４の厚み分だけ隙間が空いてしまうことになるため、光漏れや電気的な接続が不完全である。ネジ９のネジ穴付近部では両方の金属製ランプリフレクタ４が密着するものの、金属製ランプリフレクタ４の内側面は樹脂フィルム４ｂで被覆されているため、電気的接触は不完全である。複数辺のランプリフレクタを一体化してＬ字形もしくはＵ字形のランプリフレクタとなす構造によっても解決できるが、そのような加工の手間やコストには多大なものがある。
【０００６】
本発明は、前記事情に鑑みてなされたものであり、２以上の辺にランプリフレクタが配置された液晶表示装置において、ランプの点灯によるノイズを抑えるために、金属ケースと確実な電気的接続をとることができ、かつ、ランプリフレクタを固定するネジの本数を増やさずに簡便にとりつけることができるバックライトユニット、および、そのバックライトユニットを用いた液晶表示装置を提供することを目的とする。
【課題を解決するための手段】
【０００７】
本発明における液晶表示装置は、２以上の複数の辺に金属製ランプリフレクタが配置され、コーナー部において金属製ランプリフレクタ端部どうしが隣接する液晶表示装置であって、金属製ランプリフレクタ端部が同一平面状で対向するように隣接し、端部におのおの対向するように略半円形状を有することにより、各辺どちらの金属製ランプリフレクタも同時にかつ確実に金属製ケースに接続し、導通させることができる。
【発明の効果】
【０００８】
この様な構成によれば、金属製ランプリフレクタが隣接する状態の場合には、ネジで接続する部分の形状を略半円形状にするだけで、隣接する２個のランプリフレクタを１本のネジで固定接続することができるため、ネジ止め工数削減が可能である。また、本来、導通が行える部分をそのまま利用できる構造であるため、導通のために新たな構造を設ける必要が無く、形状が簡略化できる。
【発明を実施するための最良の形態】
【０００９】
実施の形態１．
図１は、本実施の形態におけるバックライトユニットを用いた液晶表示装置の構成を示した全体分解斜視図である。図２（ａ）、図２（ｂ）は、本実施の形態におけるバックライトユニットを用いた液晶表示装置を示した断面図であり、図２（ａ）は液晶表示装置の辺の中央部、すなわちランプを横切る箇所での断面図、図２（ｂ）は液晶表示装置のコーナー部、すなわち金属製ランプリフレクタと金属ケースとを接続する箇所の断面図である。図３は、本実施の形態におけるバックライトユニットの導光板側から見た分解斜視図である。図４（ａ）は本実施の形態におけるバックライトユニットのネジ止め方向、すなわち金属ケース側から見た分解斜視図であり、図４（ｂ）は、図４（ａ）においてネジ止めをした時のネジ付近の断面図である。
【００１０】
図１、図２（ａ）、および、図２（ｂ）に示すように、液晶表示装置は液晶パネル１、光学シート２、ランプ３、金属製ランプリフレクタ４、導光手段である導光板５、反射シート６、樹脂ケース７、金属製ケース８、ネジ９からなっている。光学シート２は用途に応じて複数枚数を重ねてもよい。図２（ａ）に示すように、前記ランプ３から出た光３ａの中には直接、液晶パネル１を照射する光もあるが、例えば光３ａの一部は、そのまま直接に導光板５の中を通り屈折し反射シート６で反射されて光３ｂとなって光学シート２を通って、液晶パネル１を照射する。また、光３ａの他の一部は、金属製ランプリフレクタ４の内側面に貼り付けられている反射材(図示せず)により反射されてから、導光板５の中を通り屈折し反射シート６で反射されて光３ｃとなって光学シート２を通って、液晶パネル１を照射する。
【００１１】
このように、ランプ３を抱持している金属製ランプリフレクタ４は、ランプ３から発光する光を導光板５の中へと反射させ、液晶パネル１を照射する表示光として効率良く利用する効果をもたらしている。
【００１２】
また、ランプ３を内部に抱持している金属製ランプフレクタ４と金属製ケース８とは、ネジ９で接続されて面で密着しているため、ランプ３からの放射電圧や点灯電圧が金属製ランプリフレクタ４を介して金属製ケース８に伝わり、さらにその金属製ケース８を液晶表示装置に取り付けている筐体(図示せず)を介してＧＮＤ接地に伝わることによって、放射電圧や点灯電圧に起因するノイズを抑えることができる。  
【００１３】
本実施の形態においては、金属製ランプリフレクタ４の端部同士がある１つのコーナー部で隣接するように、液晶表示装置の導光板５の２辺に沿って金属製ランプリフレクタ４が配置されている。通常はそれぞれの金属製ランプリフレクタ４の端部にネジ穴が空けられており、ネジ９を嵌合することによって金属製ケース８と接続できるようになっている。
【００１４】
しかし、本実施の形態においてはネジ穴が無く、１つのコーナー部において金属製ランプリフレクタ４の端部どうしが同一平面上で隣接し、その端部はおのおの対向するように凹部、例えば略半円状端部４ａの如き形状を有しているため、図３、図４（ａ）、図４（ｂ）に示すように１本のネジ９を嵌合することによって隣接する金属製ランプリフレクタ４の両方を同時に金属製ケース８に接続することができる。この接続によって隣接する金属製ランプリフレクタ４の両方が金属製ケース８に密着して接地できるので、２辺に金属製ランプリフレクタ４が配置された液晶表示装置においてもネジを追加することなく、ランプ３から放射される電圧に起因するノイズを抑制することができる。ここで、同一平面上での隣接とは、図６（ａ）、図６（ｂ）に示したように金属製ランプリフレクタ４の端部が重なった状態ではなく、図４（ａ）、図４（ｂ）のように金属製ランプリフレクタ４の端面が接している領域を有している状態を指す。
【００１５】
本実施の形態において他に適用可能な凹部の加工例を図５（ａ）、図５（ｂ）に示す。もちろん、本発明がここで示した例示に限定されないことは言うまでもない。また、凹部は略半円状以外でもよく、例えば、三角形や矩形のように直線からなる形状を含んでいてもよい。
【００１６】
また、本実施の形態においては金属製ランプリフレクタを２辺に配置したが、３辺でも４辺でも同様に適用することができる。３辺に配置した場合は３辺に挟まれた２個のコーナー部が存在し、４辺に適用した場合は４個のコーナー部が存在することになり、本発明を少なくとも１個のコーナー部に適用することができる。さらに、本実施の形態においては、直管のランプを複数本使用しているが、Ｌ字形のランプを２辺に当接してもよく、Ｕ字形のランプを３辺に当接させてもよい。各辺に金属製ランプリフレクタが取り付けられる表示装置について同様に適用することが可能である。
【００１７】
なお、実施の形態１において、ランプは冷陰極管でもよいし、発光ダイオードでもよい。導光手段として導光板を使用した形態について記載したが、導光板以外の導光手段、たとえばプリズムを用いたようなものであってもよく、反射シートとして凹凸や傾斜を有する反射部材を用いたものであってもよく、また、それらを組み合わせたものであってもよい。ランプからの光を金属製ランプリフレクタにより反射させて液晶パネルの表示光とする表示装置であれば、本発明を前記以外の表示装置にも適用できることはいうまでもない。
【図面の簡単な説明】
【００１８】
【図１】本発明の実施の形態１による液晶表示装置を示した分解斜視図である。
【図２】図２（ａ）は本発明の実施の形態１による液晶表示装置を示した断面図であり、図２（ｂ）は本発明の実施の形態１による液晶表示装置を示した断面図である。
【図３】本発明の実施の形態１によるバックライトユニットの一部を示した分解斜視図である。
【図４】図４（ａ）は本発明の実施の形態１によるバックライトユニットの一部を金属製ケースの側から見たときの分解斜視図であり、図４（ｂ）は本発明の実施の形態１によるバックライトユニットのネジ付近を示した断面図である。
【図５】本発明の実施の形態１と別の形態を示す上面図である。
【図６】図６（ａ）は従来のバックライトユニットの一部を示した分解斜視図であり、図６（ｂ）は従来のバックライトユニットの一部を示した断面図である。
【符号の説明】
【００１９】
１  液晶パネル
２  光学シート
３  ランプ
３ａ  ランプから出た光
３ｂ  ランプから出た光の経路
３ｃ  ランプから出た光の経路
４  金属製ランプリフレクタ
４ａ  金属製ランプリフレクタ略半円状端部
４ｂ  金属製ランプリフレクタ内面の樹脂フィルム
５  導光板
６  反射シート
７  樹脂ケース
８  金属製ケース
９  ネジ
【図１】
2005243485.tif 000003
【図２】
2005243485.tif 000004
【図３】
2005243485.tif 000005
【図４】
2005243485.tif 000006
【図５】
2005243485.tif 000007
【図６】
2005243485.tif 000008